(57)【要約】【課題】施工性の低下を防止できる木造柱脚金物を提供すること。【解決手段】柱脚金物１０は、台座部２２と、当該台座部２２に上方から着脱自在に被せられる柱受部２３と、を備えている。上記台座部２２は、ボルト孔２７を有するベース部材２４と、上記ベース部材２４より上方に延びる柱挿入部材２５と、を備えている。上記柱受部２３は、当該柱受部２３が上記台座部２２に被せられた組付状態において、上記ベース部材２４よりも上方に位置し、上記柱挿入部材２５を挟む前側部分４４及び後側部分４５を有する柱受部材４０と、上記柱受部材４０より下方に延びて、上記柱受部材４０と上記ベース部材２４とを上下に離間させて上記ベース部材２４に当接する支持部材５０と、を備えている。【選択図】図３
2018150769.tif 000002
【特許請求の範囲】
【請求項１】
台座部と、当該台座部に上方から着脱自在に被せられる柱受部と、を備えており、
上記台座部は、
ボルト孔を有するベース部材と、上記ベース部材より上方に延びる柱挿入部材と、を備えており、
上記柱受部は、当該柱受部が上記台座部に被せられた組付状態において、
上記ベース部材よりも上方に位置し、上記柱挿入部材を挟んで互いに反対側に位置する第１部分及び第２部分を有する柱受部材と、
上記柱受部材より下方に延びて、上記柱受部材と上記ベース部材とを上下に離間させて上記ベース部材に当接する支持部材と、を備えている木造柱脚金物。
【請求項２】
上記支持部材の少なくとも一部は、上記柱受部材の外縁に沿って配置されている請求項１に記載の木造柱脚金物。
【請求項３】
上記支持部材の一部は、上記柱受部材の上記外縁の内側に配置されている請求項２に記載の木造柱脚金物。
【請求項４】
上記ベース部材は、上記組付状態において、
上記支持部材の側面に当接して、上記台座部を水平方向のうちの少なくとも一方向に対して位置決めする位置決め面を有する請求項１から３のいずれかに記載の木造柱脚金物。
【請求項５】
上記柱受部材は、上記第１部分及び上記第２部分が連続しており、上記柱挿入部材が上下方向に挿通可能な挿通孔を有する請求項１から４のいずれかに記載の木造柱脚金物。
【請求項６】
上記柱受部材及び上記ベース部材の形状は、共に、上下方向から視てほぼ同一の四角形である請求項５に記載の木造柱脚金物。
【請求項７】
上記柱受部材の上記外縁に沿って配置された上記支持部材は、複数の分割片からなっており、
上記各分割片は、上下方向から視て、上記柱受部材の上記四角形の頂点に対応する位置で屈曲され、上記四角形の辺に対応する位置で隣り合う他の上記分割片に固定されている請求項６に記載の木造柱脚金物。
【請求項８】
上記挿通孔は、上記柱受部材の上記四角形の中心位置を含み且つ当該四角形の一辺と平行に延びている請求項５から７のいずれかに記載の木造柱脚金物。
【請求項９】
上記柱受部材は、上記挿通孔の短手方向の幅を狭める方向へ突出する突片を更に有する請求項５から８のいずれかに記載の木造柱脚金物。
【発明の詳細な説明】
【技術分野】
【０００１】
本発明は、木造柱を基礎に結合させる柱脚金物に関する。
【背景技術】
【０００２】
従来、木造柱を基礎に接合する木造柱脚金物が知られている（例えば、特許文献１参照）。従来の木造柱脚金物は、ベースプレート、受けプレート、スチフナ、及び縦プレートを有する。ベースプレートは、水平方向に延びる板材であって、基礎のアンカーボルトが挿通される挿通孔を有する。受けプレートは、水平方向に延びる板材であって、木造柱の下面を受ける。受けプレートには、ベースプレートの挿通孔の直上位置に、当該挿通孔よりも大きな貫通孔が形成されている。スチフナは、上下方向に延びる板材であって、受けプレート及びベースプレートを連結する。縦プレートは、受けプレートから上方に延びる板材であって、木造柱に形成されたスリット内に挿入される。ベースプレート、受けプレート、スチフナ、及び縦プレートは、溶接により一体化されている。ベースプレートがアンカーボルトにナットにより緊結されることにより、木造柱脚金物が基礎に固定される。
【先行技術文献】
【特許文献】
【０００３】
【特許文献１】特開２００６−１２５０４３
【発明の概要】
【発明が解決しようとする課題】
【０００４】
従来の木造柱脚金物では、スチフナは、挿通孔を避けるように、上方から見て、ベースプレート及び受けプレートの中心位置を通る十字形状に配置されている。この配置によれば、ベースプレートと受けプレートとの上下方向の間となる側方から挿通孔にアクセス可能なので、作業者は挿通孔に挿通されたアンカーボルトにナットを螺合させて、そのナットに側方からアクセスして回すことができる。また、受けプレートに、ナットを締結するための工具のアクセス部分の外形より大きな貫通孔が形成されているので、電動工具（インパクトレンチ）などのアクセス部分を貫通孔を通じてナットにアクセスさせて、ナットを締結することができる。
【０００５】
作業者は、ナットをアンカーボルトに螺合させるときに、ベースプレートと受けプレートとの間からナットにアクセスすることとなるが、受けプレートとベースプレートとが上下方向に離間する距離が短ければ、受けプレートとベースプレートとの間に作業者が指などを入れ難くなり、作業性が悪い。他方、受けプレートとベースプレートとの上下方向の距離は、木造柱脚金物に支持された柱と連結される他の部材との関係から設定されるので、直ちに拡げることができない。
【０００６】
本発明は、前述された事情に鑑みてなされたものであり、その目的は、施工性のよい木造柱脚金物を提供することである。
【課題を解決するための手段】
【０００７】
(1)  本発明に係る木造柱脚金物は、台座部と、当該台座部に上方から着脱自在に被せられる柱受部と、を備えており、上記台座部は、ボルト孔を有するベース部材と、上記ベース部材より上方に延びる柱挿入部材と、を備えており、上記柱受部は、当該柱受部が上記台座部に被せられた組付状態において、上記ベース部材よりも上方に位置し、上記柱挿入部材を挟んで互いに反対側に位置する第１部分及び第２部分を有する柱受部材と、上記柱受部材より下方に延びて、上記柱受部材と上記ベース部材とを上下に離間させて上記ベース部材に当接する支持部材と、を備えている。
【０００８】
上記構成によれば、柱受部が台座部に上方から着脱自在に被せられるので、柱受部が台座部から外れた状態で、ベース部材のボルト孔に挿通された基礎のアンカーボルトに、ベース部材の上方からナットを締結して、ベース部材が基礎に固定される。ベース部材が基礎に固定された後に、柱受部が台座部に被せられて組付状態にされる。ベース部材が基礎に固定される際に、ベース部材の上方が開放されているので、空間的な制限無く、ナットがアンカーボルトに締結できる。したがって、木造柱脚金物の施工性の低下が防止できる。
【０００９】
(2)  好ましくは、上記支持部材の少なくとも一部は、上記柱受部材の外縁に沿って配置されている。
【００１０】
上記構成によれば、木造柱脚金物の構造耐力がよい。
【００１１】
(3)  好ましくは、上記支持部材の一部は、上記柱受部材の上記外縁の内側に配置されている。
【００１２】
上記構成によれば、支持部材がさらに柱受部材の外縁の内側に配置されているので、木造柱脚金物の構造耐力がより増加する。
【００１３】
(4)  好ましくは、上記ベース部材は、上記組付状態において、上記支持部材の側面に当接して、上記台座部を水平方向のうちの少なくとも一方向に対して位置決めする位置決め面を有する。
【００１４】
上記構成によれば、ベース部材によって支持部材を位置決めできる。
【００１５】
(5)  好ましくは、上記柱受部材は、上記第１部分及び上記第２部分が連続しており、上記柱挿入部材が上下方向に挿通可能な挿通孔を有する。
【００１６】
上記構成によれば、柱受部材の第１部分と第２部分とが一体に構成される。
【００１７】
(6)  好ましくは、上記柱受部材及び上記ベース部材の形状は、共に、上下方向から視てほぼ同一の四角形である。
【００１８】
(7)  好ましくは、上記柱受部材の上記外縁に沿って配置された上記支持部材は、複数の分割片からなっており、上記各分割片は、上下方向から視て、上記柱受部材の上記四角形の頂点に対応する位置で屈曲され、上記四角形の辺に対応する位置で隣り合う他の上記分割片に固定されている。
【００１９】
上記構成によれば、支持部材が一体物である場合と比べて、支持部材の製造が容易である。また、各分割片が四角形の頂点に対応する位置で屈曲されているので、木造柱脚金物の構造耐力がよい。
【００２０】
(8)  好ましくは、上記挿通孔は、上記柱受部材の上記四角形の中心位置を含み且つ当該四角形の一辺と平行に延びている。
【００２１】
(9)  好ましくは、上記柱受部材は、上記挿通孔の短手方向の幅を狭める方向へ突出する突片を更に有する。
【００２２】
上記構成によれば、挿通孔に挿通された柱挿入部材の位置精度がよい。
【発明の効果】
【００２３】
本発明によれば、施工性のよい木造柱脚金物が実現できる。
【図面の簡単な説明】
【００２４】
【図１】図１は、第１実施形態にかかる柱脚金物１０により接合された基礎１１及び柱材１２の接合部を示す斜視図である。
【図２】図２は、基礎１１に固定された柱脚金物１０と、接合前の柱材１２と、を示す斜視図である。
【図３】図３は、基礎１１と、台座部２２及び柱受部２３に分解された柱脚金物１０と、を示す斜視図である。
【図４】図４は、基礎１１と、ベース部材２４及び柱挿入部材２５に分解された台座部２２と、を示す斜視図である。
【図５】図５（Ａ）は、柱受部材４０及び支持部材５０に分解された柱受部２３を示す斜視図であり、図５（Ｂ）は、図３のＶＢ−ＶＢ矢視断面図である。
【図６】図６（Ａ）は、第２実施形態に係る柱受部２２３の斜視図であり、図６（Ｂ）は、柱受部材４０及び支持部材２５０に分解された柱受部２２３を示す斜視図である。
【図７】図７は、第３実施形態に係る台座部３２２の斜視図である。
【図８】図８は、第４実施形態に係る柱受部４２３の平面図である。
【図９】図９は、第５実施形態に係る柱脚金物５１０の斜視図である。
【発明を実施するための形態】
【００２５】
以下、本発明の実施形態について説明する。なお、以下に説明される実施形態は本発明の一例にすぎず、本発明の要旨を変更しない範囲で、本発明の実施形態を適宜変更できることは言うまでもない。また、木造柱脚金物（以下、柱脚金物）１０が基礎１１に設置された姿勢（図１の姿勢であって、「使用姿勢」と表記することがある。）を基準として上下方向７が定義され、基礎１１の延びている方向として前後方向８が定義され、上下方向７及び前後方向８に直交する方向として左右方向９が定義されている。
【００２６】
［第１実施形態に係る柱脚金物１０］
以下、第１実施形態に係る柱脚金物１０が説明される。
【００２７】
図１、図２に示されるように、柱脚金物１０は、基礎１１に木製の柱材１２を接合する金物である。
【００２８】
図１から図３に示されるように、基礎１１は、水平方向（図１から図４においては前後方向８）に延びるコンクリート製の布基礎である。なお、基礎１１は、公知の構成が採用され得るので、布基礎であってもベタ基礎などであってもよい。図３、図４に示されるように、基礎１１の上面からは、複数のアンカーボルト１３が突出している。複数のアンカーボルト１３は、１つの柱脚金物１０に対して一対が配置されている。一対のアンカーボルト１３にそれぞれ一対のナット１４が締結されて、１つの柱脚金物１０が基礎１１の上面に固定される。
【００２９】
図１、図２に示されるように、木製の柱材１２は、断面外形が四角形の四角柱である。柱材１２の下面１５から上方に向けてスリット１６が形成されている。スリット１６は、柱材１２の下面１５に対して前後方向８の中央部に位置し、上下方向７及び左右方向９に延びている。スリット１６は、下面１５、及び柱材１２の左右両側の側面１７にそれぞれ開口している。
【００３０】
柱材１２は、３つのピン孔１８を有している。ピン孔１８は、ドリフトピン１９を挿入するための孔である。ピン孔１８は、前後方向８に延びて、スリット１６を横断している。ピン孔１８は、柱材１２の前面２０及び後面２１にそれぞれ開口している。
【００３１】
図２、図３に示されるように、柱脚金物１０は、台座部２２と、台座部２２に上方から着脱自在に被せられる柱受部２３と、を備えている。
【００３２】
図３、図４に示されるように、台座部２２は、台座部２２が基礎１１上に置かれた状態において、ベース部材２４と、ベース部材２４から上方に延びる柱挿入部材２５と、を備えている。
【００３３】
ベース部材２４は、上下方向７から視て外形が四角形の板材である。ベース部材２４は、２つのボルト孔２７を有している。２つのボルト孔２７は、ベース部材２４を上下方向７に貫通する孔である。２つのボルト孔２７は、ベース部材２４の外形である四角形において、対角線上であって、対角線の中央に対して対称な位置にそれぞれ位置している。ベース部材２４が基礎１１の上面に置かれた状態において、ボルト孔２７にアンカーボルト１３が挿通する。
【００３４】
柱挿入部材２５は、前後方向８から視て外形が四角形の板材である。本実施形態では、柱挿入部材２５は、上下方向７を長手方向とする外形が長方形の板材である。柱挿入部材２５の下面２８は、例えば溶接によりベース部材２４の上面２６に固定されている。柱挿入部材２５は、ベース部材２４に対して前後方向８の中央に位置し、上下方向７及び左右方向９に沿って延びている。柱挿入部材２５は、柱材１２が柱脚金物１０に取り付けられた状態において、柱材１２のスリット１６に挿入される。柱挿入部材２５の左右方向９における幅は、ベース部材２４の左右方向９における幅よりも小さい。左右方向９において、柱挿入部材２５の側面３２と、ベース部材２４の側面３３とは離れている。すなわち、柱挿入部材２５の各側面３２は、ベース部材２４の各側面３３より内側に位置する。したがって、柱挿入部材２５の各側面３２の外側には、ベース部材２４の上面２６が露出している。つまり、ベース部材２４の上面２６の外縁の全体は、柱挿入部材２５によって覆われておらず上方へ露出している。
【００３５】
柱挿入部材２５は、３つのピン孔２９を有している。ピン孔２９は、ドリフトピン１９を挿入するための孔である。ピン孔２９は、柱挿入部材２５を厚み方向、すなわち前後方向８に貫通している。ピン孔２９は、柱挿入部材２５の前面３０及び後面３１にそれぞれ開口している。
【００３６】
図３、図５に示されるように、柱受部２３は、柱受部２３が台座部２２に被せられた組付状態において、柱受部材４０と、柱受部材４０から下方に延びる支持部材５０と、を備えている。
【００３７】
柱受部材４０は、上下方向７から視て外形が四角形の板材である、柱受部材４０は、柱脚金物１０の組付状態において柱材１２の下面１５を支持する。柱受部材４０の上面４１及び下面４２の外形は、柱材１２の下面１５の外形と略一致する。柱受部材４０の上面４１及び下面４２の外形は、ベース部材２４の上面２６の外形と略一致する。
【００３８】
柱受部材４０は、挿通孔４３を有している。挿通孔４３は、柱受部材４０を上下方向７に貫通する孔である。挿通孔４３は、柱受部材４０において前後方向８の中央部に位置し、左右方向９に細長に延びている。左右方向９は、四角形である柱受部材４０の一辺と平行な方向の一例である。挿通孔４３の形状は、上下方向７から視て長方形である。挿通孔４３には、台座部２２の柱挿入部材２５が挿通可能である。柱挿入部材２５が挿通孔４３を容易に通過できるように、挿通孔４３の前後方向８及び左右方向９における幅は、柱挿入部材２５の前後方向８及び左右方向９における幅よりも若干大きい。なお、挿通孔４３の幅が、柱挿入部材２５の幅と略同一であってもよい。
【００３９】
柱受部材４０は、柱脚金物１０の組付状態において柱挿入部材２５を挟んで互いに反対側に位置する前側部分４４及び後側部分４５（第１部分及び第２部分の一例）を備えている。前側部分４４及び後側部分４５は、前後方向８に並んでいる。本実施形態では、前側部分４４及び後側部分４５は、左右方向９の両端側において接続されて連続している。挿通孔４３は、前側部分４４と後側部分４５との間に形成された空間であるともいえる。
【００４０】
図５に示されるように、支持部材５０は、６つの分割片を有する。６つの分割片は、前板５１、後板５２、右板５３、左板５４、前補助板５５、及び後補助板５６である。前板５１、後板５２、右板５３、左板５４、前補助板５５、及び後補助板５６は、いずれも、外形が長方形の板材である。６つの板５１−５６は、柱受部材４０の下面４２に、例えば溶接により固定されている。
【００４１】
４つの板５１−５４は、柱受部材４０の下面４２の外縁に位置している。前板５１及び後板５２は、長手方向が左右方向９となる姿勢で、柱受部材４０の下面４２の前端部及び後端部にそれぞれ固定されている。右板５３及び左板５４は、長手方向が前後方向８となる姿勢で、柱受部材４０の下面４２の右端部及び左端部にそれぞれ固定されている。４つの板５１−５４についても、隣り合って接触する２つの支持部材同士が、例えば溶接により固定されている。
【００４２】
前板５１の後面（短手方向の端面）に右板５３の前面（長手方向の端面）が接しており、前板５１の左面（長手方向の端面）に左板５４の右面（短手方向の端面）が接している。残り３つの板５２−５４も、前板５１と同様である。つまり、４つの板５１−５４のそれぞれについて、一の板の長手方向の端面が、他の板の短手方向の端面に接している。そのため、支持部材５０は、水平面内のどの方向から力を受けても、一の板の端面が他の板の端面に当接できる。したがって、柱受部２３の剛性が高められている。
【００４３】
前補助板５５及び後補助板５６は、柱受部材４０の外縁より内側に位置しており、それぞれが、前板５１又は後板５２に接触する位置にある。前補助板５５の前面（長手方向の端面）は、前板５１の後面（短手方向の端面）に左右方向９の中央部において接している。後補助板５６は、前板５１から後方に延びている。後板５２の後面（長手方向の端面）は、後板５２の前面（短手方向の端面）に左右方向９の中央部において接している。後補助板５６は、後板５２から前方に延びている。なお、前補助板５５及び後補助板５６は、上下方向７から視て挿通孔４３と重複しない位置にある。
【００４４】
図１から図３を参照して、柱脚金物１０を用いた柱材１２の基礎１１への接合が説明される。
【００４５】
図３に示されるように、台座部２２の基礎１１への取り付けに際して、基礎１１の上面にベース部材２４が置かれる。ベース部材２４の２つのボルト孔２７に、基礎１１の上面から突出する２つのアンカーボルト１３がそれぞれ挿通される。ベース部材２４の上方から各アンカーボルト１３に各ナット１４が螺合されることにより、ベース部材２４が基礎１１に締結される。つまり、柱脚金物１０の台座部２２が基礎１１に固定される。
【００４６】
図２に示されるように、柱脚金物１０の組付に際して、柱受部２３が台座部２２に上方から被せられる。台座部２２の柱挿入部材２５が、柱受部材４０の挿通孔４３に挿通された状態で、柱受部２３が台座部２２に向けて下げられる。柱受部２３の支持部材５０が台座部２２のベース部材２４の上面２６に当接すると、柱脚金物１０の組付が完了する。この組付状態では、支持部材５０によって、柱受部材４０とベース部材２４とが上下方向７に離間される。組付状態では、柱挿入部材２５は、挿通孔４３を通じて柱受部材４０よりも上方に突出しており、柱挿入部材２５の３つのピン孔２９は、柱受部２３よりも上方に位置する。
【００４７】
図１に示されるように、柱材１２の下面１５が柱受部材４０の上面４１に当接され、柱材１２のスリット１６に柱挿入部材２５が挿入される。柱材１２の荷重は、柱受部材４０、支持部材５０、及びベース部材２４を介して、基礎１１にかかる。３つのドリフトピン１９が柱材１２の３つのピン孔１８及び柱挿入部材２５の３つのピン孔２９のそれぞれに挿入されると、３つのドリフトピン１９により柱材１２及び柱脚金物１０が連結されて、柱材１２が柱脚金物１０に接合される。
【００４８】
［第１実施形態の作用効果］
第１実施形態に係る柱脚金物１０によれば、柱受部２３が台座部２２に上方から着脱自在に被せられるので、柱受部２３が台座部２２から外れた状態で、ベース部材２４のボルト孔２７に挿通された基礎１１のアンカーボルト１３に、ベース部材２４の上方からナット１４を締結して、ベース部材２４が基礎１１に固定される。ベース部材２４が基礎１１に固定された後に、柱受部２３が台座部２２に被せられて組付状態にされる。ベース部材２４が基礎１１に固定される際に、ベース部材２４の上方が開放されているので、空間的な制限無く、ナット１４がアンカーボルト１３に締結できる。したがって、柱脚金物１０の施工性の低下が防止できる。
【００４９】
また、柱受部材４０の前側部分４４と後側部分４５とが一体に構成される。
【００５０】
また、柱脚金物１０の構造耐力がよい。
【００５１】
また、支持部材５０がさらに柱受部材４０の外縁の内側に配置されているので、柱脚金物１０の構造耐力がより増加する。
【００５２】
［第２実施形態に係る柱脚金物］
図６を参照して、第２実施形態に係る柱脚金物が説明される。第２実施形態に係る柱受部２２３は、第１実施形態に係る支持部材５０の代わりに、支持部材２５０を備えている。第２実施形態におけるその他の構成は第１実施形態の構成と同様なので、詳細な説明が省略される。
【００５３】
図６（Ａ）に示されるように、柱受部２２３は、この柱受部２２３が台座部２２に被せられた組付状態において、柱受部材４０と、柱受部材４０から下方に延びる支持部材２５０と、を備えている。
【００５４】
図６（Ａ）、図６（Ｂ）に示されるように、支持部材２５０は、４つの分割片を有する。４つの分割片は、右前板２５１、右後板２５２、左後板２５３、及び左前板２５４である。右前板２５１、右後板２５２、左後板２５３、及び左前板２５４は、いずれも、長手方向の中央部において屈曲された長方形の板材である。４つの板２５１−２５４は、柱受部材４０の下面４２に、例えば溶接により固定されている。
【００５５】
４つの板２５１−２５４は、柱受部材４０の下面４２の外縁に位置している。右前板２５１は、左右方向９に延びる前部２５１ａと、前後方向８に延びる右部２５１ｂと、前部２５１ａ及び右部２５１ｂを屈曲して接続する屈曲部２５１ｃと、を有する。右後板２５２は、前後方向８に延びる右部２５２ａと、左右方向９に延びる後部２５２ｂと、右部２５２ａ及び後部２５２ｂを屈曲して接続する屈曲部２５２ｃと、を有する。左後板２５３は、左右方向９に延びる後部２５３ａと、前後方向８に延びる左部２５３ｂと、後部２５３ａ及び左部２５３ｂを屈曲して接続する屈曲部２５３ｃと、を有する。左前板２５４は、前後方向８に延びる右部２５４ａと、左右方向９に延びる前部２５４ｂと、右部２５４ａ及び前部２５４ｂを屈曲して接続する屈曲部２５４ｃと、を有する。
【００５６】
４つの板２５１−２５４は、それぞれ、柱受部材４０の外形である四角形の頂点に対応する位置に、屈曲部２５１ｃ、２５２ｃ、２５３ｃ、２５４ｃが位置するように屈曲されている。４つの板２５１−２５４のうちの隣り合って接する２つの板の接続位置は、柱受部材４０の外形である四角形の辺の略中央に対応する位置である。右前板２５１の前部２５１ａと左前板２５４の前部２５４ｂとは、柱受部材４０の前端部の略中央に対応する位置で接している。他の隣り合って接する２つの板についても同様である。
【００５７】
［第２実施形態の作用効果］
第２実施形態に係る柱脚金物によれば、支持部材２５０が一体物である場合と比べて、支持部材２５０の製造が容易である。また、支持部材２５０を構成する板２５１−２５４が四角形の頂点に対応する位置で屈曲されているので、柱脚金物１０の構造耐力がよい。
【００５８】
［第３実施形態に係る柱脚金物］
図７を参照して、第３実施形態に係る柱脚金物が説明される。第３実施形態に係る台座部３２２は、第１実施形態に係るベース部材２４の代わりに、ベース部材３２４を備えている。第３実施形態におけるその他の構成は第１実施形態の構成と同様なので、詳細な説明が省略される。
【００５９】
図７に示されるように、第３実施形態に係るベース部材３２４は、上下方向７から視て外形が四角形の板材である。ベース部材３２４は、上面２６の４つの対角位置にそれぞれ位置する４つの突出部３０１を備えている。各突出部３０１は、外形が四角柱であり、上面２６から上方に突出している。各突出部３０１は、上面２６の外縁部分、すなわち、柱脚金物１０の組付状態において支持部材５０の下面が当接する部分よりも内側に位置する。
【００６０】
突出部３０１の側面３０２は、支持部材５０の内面に当接可能な面である。ここで、支持部材５０の内面は、前板５１の後面、後板５２の前面、右板５３の左面、及び左板５４の右面を指している。柱脚金物１０の組付状態において、４つの突出部３０１が、支持部材５０の内面に、前後方向８の両向きに且つ左右方向９の両向きに当接するので、柱受部２３が台座部３２２に水平方向において位置決めされる。
【００６１】
［第３実施形態の作用効果］
第３実施形態に係る柱脚金物によれば、ベース部材３２４によって支持部材５０を位置決めできる。
【００６２】
［第４実施形態に係る柱脚金物］
図８を参照して、第４実施形態に係る柱脚金物が説明される。第４実施形態に係る柱受部４２３は、第１実施形態に係る柱受部材４０の代わりに、柱受部材４４０を備えている。第４実施形態におけるその他の構成は第１実施形態の構成と同様なので、詳細な説明が省略される。
【００６３】
図８（Ａ）に示されるように、柱受部材４４０は、挿通孔４４３を有している。挿通孔４４３は、柱受部材４４０を上下方向７に貫通する孔である。挿通孔４４３は、柱受部材４４０において前後方向８の中央部に位置し、左右方向９に延びている。挿通孔４３の形状は、上下方向７から視て概ね長方形である。ここで、柱受部材４４０は、挿通孔４４３の前後方向８（短手方向の一例）の幅を狭める方向に突出する２つの突片４０１を有している。２つの突片４０１は、挿通孔４４３の後面から前方に突出している。
【００６４】
図８（Ｂ）に示されるように、柱脚金物１０の組付状態において、２つの突片４０１が柱挿入部材２５の後面に当接する。ここで、柱挿入部材２５が挿通孔４４３を容易に通過できるように、挿通孔４４３の前後方向８の最大幅は、柱挿入部材２５の前後方向８の幅よりも若干大きく形成されている。一方、挿通孔４４３の前後方向８の最小幅、すなわち突片４０１が位置する場所における挿通孔４４３の前後方向８の幅は、柱挿入部材２５の前後方向８の幅と略同等に形成されている。そのため、挿通孔４４３内に挿入された柱挿入部材２５は、挿通孔４４３に当接する。
【００６５】
［第４実施形態の作用効果］
第４実施形態に係る柱脚金物によれば、挿通孔４４３に挿通された柱挿入部材２５の位置精度がよい。
【００６６】
［第５実施形態に係る柱脚金物５１０］
図９を参照して、第５実施形態に係る柱脚金物５１０が説明される。第５実施形態に係る柱脚金物５１０は、第１実施形態に係る柱受部２３の代わりに、柱受部５２３を備えている。第５実施形態におけるその他の構成は第１実施形態の構成と同様なので、詳細な説明が省略される。
【００６７】
図９に示されるように、柱受部５２３は、上部に位置する柱受部分５４０と、下部に位置して柱受部分５４０から下方に延びる支持部分５５０と、を備えている。柱受部５２３は、同一材料、例えば木材により形成された一体物であり、外形が四角柱である。したがって、柱受部分５４０及び支持部分５５０は一体である。柱受部分５４０は、第１実施形態に係る柱受部材４０に相当し、支持部分５５０は、第１実施形態に係る支持部材５０に相当する。
【００６８】
柱受部５２３は、柱受部分５４０及び支持部分５５０を上下方向７に貫通する挿通孔５４３を有している。挿通孔５４３には、台座部２２の柱挿入部材２５が挿通可能である。柱受部５２３は、柱脚金物５１０の組付状態において柱挿入部材２５を挟んで互いに反対側に位置する前側部分５４４及び後側部分５４５（第１部分及び第２部分の一例）を備えている。
【００６９】
柱受部分５４０の上面５４１は、柱材１２の下面１５が当接する面である。
【００７０】
支持部分５５０は、下方に開口する２つの逃し孔５０１を有している。２つの逃し孔５０１は、柱脚金物１０の組付状態において、台座部２２の２つのボルト孔２７にそれぞれ対応する位置にある。各ボルト孔２７内には、台座部２２のボルト孔２７から突出するアンカーボルト１３及びアンカーボルト１３に螺合されたナット１４が収納される。
【００７１】
［変形例］
第１から第４実施形態に係る柱受部材４０、４４０では、前側部分４４及び後側部分４５が連続し、前側部分４４及び後側部分４５の間に挿通孔４３が形成されているが、前側部分４４及び後側部分４５は、分離独立した２つの部材として構成されてもよい。
【００７２】
前側部分４４及び後側部分４５が２つの部材として構成された場合、台座部２２の柱挿入部材２５は、前側部分４４及び後側部分４５の間を通過して、柱受部材４０、４４０よりも上方に突出する。また、支持部材５０は、前側部分４４及び後側部分４５のそれぞれに設けられる。支持部材５０は、前側部分４４の外縁に沿って配置されると共に、後側部分４５の外縁に沿って配置されてもよい。支持部材５０は、前側部分４４の内側に配置されてもよく、後側部分４５の内側に配置されてもよい。また、ベース部材２４は、前側部分４４に配置された支持部材５０の位置決め面と、後側部分４５に配置された支持部材５０の位置決め面とを、有してもよい。
【００７３】
第１から第４実施形態に係る柱受部２３、２２３では、支持部材５０、２５０の少なくとも一部は、柱受部材４０、４４０の外縁に沿って位置しているが、支持部材５０、２５０は、柱受部材４０、４４０の外縁に配置されず、外縁の内側にのみ位置していてもよい。
【００７４】
第１実施形態に係る柱受部２３では、支持部材５０は、６つの板５１−５６からなっており、第２実施形態に係る柱受部２２３では、支持部材２５０は、４つの板２５１−２５４からなっているが、支持部材５０、２５０は、一体物であってもよい。
【００７５】
第５実施形態に係る柱受部５２３は、木材で形成された一体物であるが、柱受部５２３は、他の材料、例えば、硬質ゴム、モルタル、及びコンクリートのいずれかで形成された一体物であってもよい。
【００７６】
第１から第５実施形態に係る柱脚金物１０、５１０では、台座部２２、３２２は、１つの柱挿入部材２５を有し、柱受部２３、２２３、４２３、５２３は、１つの挿通孔４３、４４３、５３４を有しているが、この構成に限定されない。台座部２２、３２２は、複数の柱挿入部材２５を有し、柱受部２３、２２３、４２３、５２３は、複数の柱挿入部材２５と同数の挿通孔４３、４４３、５３４を有してもよい。複数の板状の柱挿入部材２５は、平行に（本実施形態では、前後方向８に沿って並んで）配置されてもよく、直列に（本実施形態では、左右方向９に沿って並んで）配置されてもよい。
【００７７】
台座部２２が、平行に配置された２つの板状の柱挿入部材２５を有する場合、柱受部２３は、２つの柱挿入部材２５にそれぞれ対応する２つの挿通孔４３を備えてもよい。この場合、柱受部２３は、柱材１２を支持する３つの部分を有しており、３つの部分のうちの隣り合う２つの部分は、２つの挿通孔４３のいずれかを挟んで互いに反対側に位置する。各挿通孔４３を挟む２つの部分が、第１部分４４及び第２部分４５である。また、柱受部２３は、２つの柱挿入部材２５の双方に対応した１つの挿通孔４３を備えてもよい。この場合、柱受部２３は、柱材１２を支持する２つの部分として、第１部分４４及び第２部分４５を有しており、第１部分４４及び第２部分４５は、挿通孔４３を挟んで互いに反対側に位置する。
【００７８】
台座部２２は、上下方向７から視てＴ字状又は十字状の柱挿入部材２５を有してもよい。この場合、柱受部２３は、Ｔ字状又は十字状の柱挿入部材２５に対応するＴ字状又は十字状の挿通孔４３を有する。柱受部２３がＴ字状の挿通孔４３を有する場合、柱受部２３は、柱材１２を支持する３つの部分を有する。３つの部分のうちの隣り合う２つの部分は、Ｔ字状の挿通孔の縦軸部分又は横軸部分のいずれかを挟んで互いに反対側に位置する。縦軸部分又は横軸部分を挟む２つの部分が、第１部分４４及び第２部分４５である。柱受部２３が十字状の挿通孔４３を有する場合も、Ｔ字状の挿通孔４３の場合と同様である。
【００７９】
第１から第５実施形態に係る柱脚金物１０、５１０を用いて基礎１１に接合される木製の柱材１２は、無垢材であっても、合板又は集積材であってもよい。柱材１２は、ラーメン構造又はＣＬＴ（クロス・ラミネイティド・ティンバー）構造に用いられる柱であってもよい。
【符号の説明】
【００８０】
１０、５１０・・・木造柱脚金物
１１・・・基礎
１２・・・柱材
２２、３２２・・・台座部
２３、２２３、４２３、５２３・・・柱受部
２４、３２４・・・ベース部材
２５・・・柱挿入部材
２７・・・ボルト孔
４０、４４０・・・柱受部材
４３、４４３、５４３・・・挿通孔
４４、５４４・・・前側部分（第１部分の一例）
４５、５４５・・・後側部分（第２部分の一例）
５０、２５０・・・支持部材
５１・・・前板
５２・・・後板
５３・・・右板
５４・・・左板
５５・・・前補助板
５６・・・後補助板
２５１・・・右前板（分割片の一例）
２５２・・・右後板（分割片の一例）
２５３・・・左後板（分割片の一例）
２５４・・・左前板（分割片の一例）
３０１・・・突出部
３０２・・・側面（位置決め面の一例）
４０１・・・突片
【図１】
2018150769.tif 000003
【図２】
2018150769.tif 000004
【図３】
2018150769.tif 000005
【図４】
2018150769.tif 000006
【図５】
2018150769.tif 000007
【図６】
2018150769.tif 000008
【図７】
2018150769.tif 000009
【図８】
2018150769.tif 000010
【図９】
2018150769.tif 000011
【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
台座部と、当該台座部に上方から着脱自在に被せられる柱受部と、を備えており、
上記台座部は、
ボルト孔を有するベース部材と、上記ベース部材より上方に延びる柱挿入部材と、を備えており、
上記柱受部は、当該柱受部が上記台座部に被せられた組付状態において、
上記ベース部材よりも上方に位置し、上記柱挿入部材を挟んで互いに反対側に位置する第１部分及び第２部分を有する柱受部材と、
上記柱受部材より下方に延びて、上記柱受部材と上記ベース部材とを上下に離間させて上記ベース部材に当接する支持部材と、を備え、
上記柱受部材は、上記第１部分及び上記第２部分が連続しており、上記柱挿入部材が上下方向に挿通可能な挿通孔を有しており、
上記柱受部材及び上記ベース部材の形状は、共に、上下方向から視てほぼ同一の四角形であり、
上記柱受部材の上記外縁に沿って配置された上記支持部材は、複数の分割片からなっており、
上記各分割片は、上下方向から視て、上記柱受部材の上記四角形の頂点に対応する位置で屈曲され、上記四角形の辺に対応する位置で隣り合う他の上記分割片に固定されている木造柱脚金物。
【請求項２】
上記支持部材は、上記柱受部材の上記外縁の内側に配置されている請求項１に記載の木造柱脚金物。
【請求項３】
上記ベース部材は、上記組付状態において、
上記支持部材の側面に当接して、上記台座部を水平方向のうちの少なくとも一方向に対して位置決めする位置決め面を有する請求項１又は２に記載の木造柱脚金物。
【請求項４】
上記挿通孔は、上記柱受部材の上記四角形の中心位置を含み且つ当該四角形の一辺と平行に延びている請求項１から３のいずれかに記載の木造柱脚金物。
【請求項５】
上記柱受部材は、上記挿通孔の短手方向の幅を狭める方向へ突出する突片を更に有する請求項１から４のいずれかに記載の木造柱脚金物。